(57)【特許請求の範囲】
【請求項１】
リフトフレームと、このリフトフレームの一側部を軸として開閉自在に備えられた正面カバーとを、この正面カバーの自由端側に備えられた１または複数の被係合部を介してロック状態またはアンロック状態に維持するロック機構が前記リフトフレームの他側部に備えられ、前記リフトフレームと前記正面カバーとの間に回動可能に備えられたメインベルトによって遊技球を搬送する研磨搬送リフトにおいて、
前記ロック機構は、
前記リフトフレームの他側部に備えられたレール部材と、
前記レール部材に沿って、下方にスライドして前記被係合部に係合され、上方にスライドして前記被係合部との係合が解除される１または複数の係合フックが形成されたスライドロック部材と、
前記レール部材の下部に揺動自在に支持され、前記スライドロック部材のスライドを規制する規制部が形成された凹状部、およびこの凹状部の二股の一方の片に連ねられて揺動の支点となるヒンジ部で構成された補助ロック部材と、
から構成され、
前記スライドロック部材には、下端にフランジが形成され、
前記規制部は、前記スライドロック部材の係合時に揺動により対峙して前記フランジを位置決めする第一の規制部が、前記凹状部の二股の他方の片の外側の縁に形成され、前記スライドロック部材の係合解除時に揺動により対峙して前記フランジを位置決めする第二の規制部が、前記凹状部の二股の他方の片の内側の縁に形成されたこと、
を特徴とする研磨搬送リフト。
【発明の詳細な説明】
【技術分野】
【０００１】
本発明は、正面カバーのロック機構が備えられた研磨搬送リフトに関するものである。
【背景技術】
【０００２】
従来から、遊技機内を落下したアウト玉を再び遊技機へ戻すために、一方の縁が蝶番により開閉自在に支持され正面カバーにより挟持したアウト玉を、研磨用の布などを介して研磨しながら搬送する研磨搬送リフトにおいて、正面カバーのロックまたはアンロック操作を行う下記特許文献１に記載のロック機構が提案されている。
【０００３】
上記のロック機構は、揚送塔本体の一側部に揺動自在かつ一端部側で扉に設けてあるロックピンに、それぞれ係合及び離反可能に設けてある複数の係合フックレバーと、ロック状態のときはロック方向にアンロック状態のときはアンロック方向に上記係合フックレバーを付勢するために上記係合フックレバーと上記揚送塔本体との間に取り付けた引っ張りバネと、これらの係合フックレバーの近傍に昇降可能に設けてある連結バーとを備えている。
【０００４】
このロック機構によれば、ロック状態の下では、このバネは、係合フックレバーを反時計回り方向へ付勢するようになっている。したがって、係合フックレバーは、付勢された状態で係合凹部がロックピンに係合しているため、運転中の振動等によりロックが解除されるようなことが起きにくい。また、アンロック状態になると、このバネは、支点ピンの右側に位置するようになるため、係合フックレバーを時計回り方向（アンロック方向）へ付勢可能となる。
【先行技術文献】
【特許文献】
【０００５】
【特許文献１】特許第４６２７０８２号公報
【発明の概要】
【発明が解決しようとする課題】
【０００６】
しかし、上記したロック機構においては、以下のような課題がある。
このロック機構によれば、引っ張りバネの張力によって係合フックレバーの回動を規制しているため、経年劣化により張力が弱まった場合、または、遊技球の搬送時の振動等によって張力よりも強い力が逆向きに加えられた場合には、ロックが解除される可能性がある。
【０００７】
本発明は、上記の実情に鑑みて提案されたものである。すなわち、バネ等の張力による場合よりも確実かつ、簡単にロック状態またはアンロック状態を維持することができる正面カバーのロック機構が備えられた研磨搬送リフトの提供を目的とする。
【課題を解決するための手段】
【０００８】
上記目的を達成するために、本発明は、リフトフレームと、このリフトフレームの一側部を軸として開閉自在に備えられた正面カバーとを、この正面カバーの自由端側に備えられた１または複数の被係合部を介してロック状態またはアンロック状態に維持するロック機構が前記リフトフレームの他側部に備えられ、前記リフトフレームと前記正面カバーとの間に回動可能に備えられたメインベルトによって遊技球を搬送する研磨搬送リフトにおいて、前記ロック機構は、前記リフトフレームの他側部に備えられたレール部材と、前記レール部材に沿って、下方にスライドして前記被係合部に係合され、上方にスライドして前記係合が解除される１または複数の係合フックが形成されたスライドロック部材と、前記レール部材の下部に揺動自在に支持され、前記スライドロック部材のスライドを規制する規制部が形成された凹状部、およびこの凹状部の二股の一方の片に連ねられて揺動の支点となるヒンジ部で構成された補助ロック部材と、から構成され、前記スライドロック部材には、下端にフランジが形成され、前記規制部は、前記スライドロック部材の係合時に揺動により対峙して前記フランジを位置決めする第一の規制部が、前記凹状部の二股の他方の片の外側の縁に形成され、前記スライドロック部材の係合解除時に揺動により対峙して前記フランジを位置決めする第二の規制部が、前記凹状部の二股の他方の片の内側の縁に形成されたことを特徴としている。
【発明の効果】
【０００９】
本発明に係る研磨搬送リフトでは、リフトフレームと、このリフトフレームの一側部を軸として開閉自在に備えられた正面カバーとを、この正面カバーの自由端側に備えられた１または複数の被係合部を介してロック状態またはアンロック状態に維持するロック機構がリフトフレームの他側部に備えられ、リフトフレームと正面カバーとの間に回動可能に備えられたメインベルトによって遊技球を搬送する研磨搬送リフトにおいて、ロック機構は、リフトフレームの他側部に備えられたレール部材と、レール部材に沿って、下方にスライドして被係合部に係合され、上方にスライドして係合が解除される１または複数の係合フックが形成されたスライドロック部材と、レール部材の下部に揺動自在に支持され、スライドロック部材のスライドを規制する規制部が形成された補助ロック部材と、から構成され、スライドロック部材には、下端にフランジが形成され、規制部は、スライドロック部材の係合時にフランジを位置決めする第一の規制部と、スライドロック部材の係合解除時にフランジを位置決めする第二の規制部とから構成されている。
したがって、二重にロックされることで、スライドロックのスライド方向が規制され、バネの張力による場合よりも確実かつ、簡単にロック状態またはアンロック状態を維持することができる。
【図面の簡単な説明】
【００１０】
【図１】本発明に係る研磨搬送リフトの一実施形態を示す斜視図である。
【図２】ロック機構の斜視図である。
【図３】ロック機構のアンロック状態を説明する説明図である。
【図４】ロック機構のロック状態を説明する説明図である。
【発明を実施するための形態】
【００１１】
以下に、本発明の実施形態を図面に基づいて説明する。なお、本実施形態は、本発明の実施形態の一つを例示するものである。したがって、本発明は、本実施形態に限定されるものではない。
【００１２】
図１において、本実施形態に係る研磨搬送リフト５０に備えられたロック機構１では、リフトフレーム１０と、このリフトフレーム１０の一側部を軸として開閉自在に備えられた正面カバー１５とを、この正面カバー１５の自由端側に備えられた複数の被係合部１６を介してロック状態またはアンロック状態に維持する。ロック機構１によりロックとなったリフトフレーム１０と正面カバー１５との間には、メインベルト１４が回動可能に備えられている。このメインベルト１４は、正面カバー１５との間に挟まれた図示しない研磨材としての研磨布に図示しない遊技球を研磨させながら搬送する。
【００１３】
リフトフレーム１０は、平板ベース１２の面上に立設されている。リフトフレーム１０は、向かい合う一対の側面板１３と、この側面板１３の長辺の一辺同士を連接する図示しない背面板とから、横断面が略コ字状に形成されている。
【００１４】
リフトフレーム１０の一側部、すなわち一方の側面板１３の縁には、蝶番を介して正面カバー１５が支持されている。リフトフレーム１０の他側部、すなわち他方の側面板１３の縁寄りには、ロック機構１が備えられている。
【００１５】
正面カバー１５は、上側正面カバー１５ａと、下側正面カバー１５ｂとから構成されている。これらの正面カバー１５によって、略コ字状に形成された研磨搬送リフト５０の開放面（正面）は覆われている。閉じられた正面カバー１５で研磨搬送リフト５０は筒状に構成されている。正面カバー１５のうち、ロック機構１に対応する側の自由端側には、２つの被係合部１６が上下に備えられている。なお、本実施形態では、ロック機構１が上側正面カバー１５ａに対応する場合について説明するが、下側正面カバー１５ｂに対応させてもよい。研磨布は、一般的には交換作業時の作業性から作業者の手が届く範囲である下側正面カバー１５ｂに備えられている。
【００１６】
被係合部１６は、一側面が開放された横断面略コ字状に形成され、開放された側がロック機構１に向けられ、一方の片が正面カバー１５の自由端側にビスによって固定されている。略コ字状の他方の片の一部には、内側に向かって係止片１６ａが形成されている。後述する係合フック３１は、開放された側から挿入され、係止片１６ａに引っ掛かって被係合部１６に係合される（図４参照）。被係合部１６は、係合フック３１に係合される構成であればよく、例えば、係合フック３１の溝に係合されるピン型であってもよい。なお、被係合部１６の数は、適宜増減することができる。
【００１７】
図２において、ロック機構１は、リフトフレーム１０の他側部に備えられたレール部材２０と、レール部材２０に上下にスライド可能に支持されたスライドロック部材３０と、レール部材２０の下部に揺動自在に支持された補助ロック部材４０とから構成されている。
【００１８】
レール部材２０は、レール本体２１と、固定鍔２２とから構成されている。レール本体２１は、幅方向の両縁がスライドロック部材３０を包むように折り曲げられて横断面が略コ字状で縦長に形成されている。レール本体２１の幅方向の略中央には、複数の案内ビス２３が長さ方向に一直線上に備えられている。固定鍔２２は、レール本体２１の一方の縁の一部から幅方向に延設されている。レール本体２１は、固定鍔２２に形成されたビス孔に挿入されたビスにより、リフトフレーム１０を構成する側面板１３の縁寄りに固定されている（図３参照）。なお、固定鍔２２は、レール本体２１の上部、中部、下部に備えられているが、位置や数は適宜変更することができる。
【００１９】
スライドロック部材３０は、スライド本体３２と、係合フック３１と、フランジ３３とから構成されている。スライド本体３２は、縦長の平板状で、長さがレール部材２０と略同一に形成されている。スライドロック部材３０は、幅方向の略中央に、長さ方向に長半径を有する略楕円形状の案内孔３２ｈが、案内ビス２３に対応するように一直線上に複数形成され、この案内孔３２ｈを介してレール部材２０の内側から案内ビス２３によってスライド可能に支持されている。スライドロック部材３０は、案内孔３２ｈの略楕円形状の範囲でスライド可能となる。
【００２０】
係合フック３１は、掛りが下向きとなるような略Ｌ字状で、スライド本体３２の一方の縁の一部から幅方向に突出して形成されている。なお、係合フック３１は、スライド本体３２の上部および下部に形成されているが、位置や数は適宜変更することができる。フランジ３３は、スライドロック部材３０の厚さ方向に折り曲げられ、スライド本体３２の上端に向かってやや傾斜して形成されている。
【００２１】
補助ロック部材４０は平板状に形成され、ヒンジ部４５と、凹状部４６とから構成されている。補助ロック部材４０は、凹状部４６の一方の片が、軸支ボルトを介してレール本体２１に支持されたヒンジ部４５に連接されている。凹状部４６の他方の片には、一方の片と対峙する側の縁で、凹状の内側の縁に第二の規制部４２が形成され、第二の規制部４２の反対側で、凹状の外側の縁には、第一の規制部４１が形成されている。第一の規制部４１および第二の規制部４２は、軸支ボルトを軸とする揺動運動の軌道に沿うように緩やかに湾曲して形成されている。第一の規制部４１の一端で、凹状部４６の両片を連接する基部は、厚さ方向でレール部材２０側に折り曲げられ、第一のストッパ４３が構成されている。第二の規制部４２の一端で、凹状部４６の溝の底部分には、第二のストッパ４４が形成されている。補助ロック部材４０は、第一のストッパ４３の重さによって、重心がややストッパ４３寄りに偏っている。
【００２２】
以上のようにして、本実施形態に係る研磨搬送リフトは構成されている。
【００２３】
次に、ロック機構１の作用について、アンロック状態からロック状態にする場合と、ロック状態からアンロック状態にする場合とを説明する。
【００２４】
図３において、ロック機構１はアンロック状態である。スライドロック部材３０は上限に位置し、フランジ３３が補助ロック部材４０の第二の規制部４２により位置決めされている。被係合部１６は、係合フック３１との係合が解除されている。したがって、正面カバー１５は開放されている。
【００２５】
上側正面カバー１５ａを閉じて、被係合部１６を、リフトフレーム１０を構成する側面板１３に設けられたロック機構１の係合フック３１に近接させる。軸支ボルトを軸に補助ロック部材４０を反時計回りに回動させ、第二の規制部４２に位置決めされたフランジ３３を解放する。補助ロック部材４０のロックが解除されたスライドロック部材３０は、自重によってレール部材２０に沿って下方にスライドする。
【００２６】
図４において、スライドロック部材３０のスライドにより係合フック３１が被係合部１６の上方から係合し、係止部１６ａに係止される。補助ロック部材４０は、重心が回動の支点（軸支ボルト）と一直線上になるように、重力により時計回りに回動する。補助ロック部材４０の回動範囲は、第一のストッパ４３がスライドロック部材３０に当たることで規制される。補助ロック部材４０が止まった位置で、第一の規制部４１がフランジ３３と対峙する。スライドロック部材３０は、フランジ３３が第一の規制部４１により位置決めされ、補助ロック部材４０によりスライドが規制されてロック状態が維持される。
【００２７】
上記したようなロック状態において、研磨布を介してメインベルト１４と下側正面カバー１５ｂとで挟まれた遊技球が搬送される（図１参照）。下側正面カバー１５ｂと上側正面カバー１５ａとの間には隙間があるため、遊技球はこの隙間に躓いて突き上げるように上側正面カバー１５ａに上向きに衝撃を与えながら搬送される。この衝撃に加えて、駆動するメインベルト１４や遊技球の搬送時の振動が、それぞれ上側正面カバー１５ａ、リフトフレーム１０を介して、ロック機構１に伝達される。スライド可能にレール部材２０に支持されたスライドロック部材３０は、衝撃と振動によって上昇しようとする。しかし、スライドロック部材３０は、フランジ３３が第一の規制部４１により位置決めされ、補助ロック部材４０によりスライドが規制されている。したがって、確実にロック状態が維持され、衝撃や振動によってロックが解除されることがない。
【００２８】
上記したように、図４において、ロック機構１はロック状態となる。スライドロック部材３０は下限に位置し、フランジ３３が補助ロック部材４０の第一の規制部４１により位置決めされている。上側正面カバー１５ａは閉鎖され、被係合部１６が係合フック３１に係合されている。
【００２９】
補助ロック部材４０を反時計回りに回動させ、第一の規制部４１に位置決めされたフランジ３３を解放する。補助ロック部材４０のロックが解除されたスライドロック部材３０を、レール部材２０に沿って上方にスライドさせる。スライドにより係合フック３１は、係止部１６ａ、被係合部１６から抜去されて係合が解除され、上側正面カバー１５ａは開放される。
【００３０】
図３において、補助ロック部材４０は重力により時計回りに回動し、第二のストッパ４４がフランジ３３に係合する。補助ロック部材４０の回動範囲は、フランジ３３が第二のストッパ４４に当たることで規制される。スライドロック部材３０は、フランジ３３が第二の規制部４２により位置決めされ、補助ロック部材４０によりスライドが規制されてアンロック状態が維持される。
【００３１】
上記のとおり、本実施形態によれば、上側正面カバー１５ａが閉鎖され、係合フック３１と被係合部１６との係合時に第一の規制部４１によりフランジ３３が位置決めされる。また、この係合の解除時に第二の規制部４２によりフランジ３３が位置決めされる。すなわち、本発明に係る研磨搬送リフト５０のロック機構１は、研磨搬送リフト５０の上側正面カバー１５ａをロックまたはアンロックするスライドロック部材３０と、スライドロック部材３０をロックする補助ロック部材４０との、二重のロックで構成されている。この構成により、バネ等の張力による場合よりも確実にロック状態またはアンロック状態を維持することができる。
【００３２】
また、スライドロック部材３０は自重によって下方にスライドし、補助ロック部材４０は重力により回動して第一の規制部４１、または第二の規制部４２がフランジ３３を位置決めする。したがって、力を加えず、重力によって簡単にロックでき、ロック状態を維持することができる。
【００３３】
また、補助ロック部材４０は、レール部材２０の下部に揺動自在に支持されているため、回動させても重力との釣り合いが取れる位置に戻る。したがって、補助ロック部材４０によれば、手動によらずに第一の規制部４１、または第二の規制部４２でフランジ３３を位置決めすることができる。
【００３４】
また、補助ロック部材４０は、第一のストッパ４３の重さによって重心が偏っている。したがって、補助ロック部材４０は、重力との釣り合いが取れ位置まで時計回りに回動しようとするため、第一のストッパ４３、また第二のストッパ４４がスライドロック部材３０、またはフランジ３３に当たるまで確実に回動され、フランジ３３を位置決めすることができる。
【００３５】
また、フランジ３３は、スライドロック部材３０の厚さ方向に折り曲げられ、スライド本体３２の上端に向かってやや傾斜している。したがって、仮に振動により上昇しようとしても、スライドロック部材３０は、フランジ３３が第一の規制部４１によって確実に位置決めされ、補助ロック部材４０によってロック状態が維持される。
【００３６】
以上、本発明の実施形態を詳述したが、本発明は上記実施形態に限定されるものではない。そして本発明は、特許請求の範囲に記載された事項を逸脱することがなければ、種々の設計変更を行うことが可能である。
【符号の説明】
【００３７】
１          ロック機構
１０        リフトフレーム
１４        メインベルト
１５        正面カバー
１６        被係合部
２０        レール部材
３０        スライドロック部材
３１        係合フック
３３        フランジ
４０        補助ロック部材
４１        第一の規制部
４２        第二の規制部
５０        研磨搬送リフト
【図１】
0005182829.tif 000002
【図２】
0005182829.tif 000003
【図３】
0005182829.tif 000004
【図４】
0005182829.tif 000005